(57)【要約】【課題】適切なデータ管理を行うための記憶装置を提供すること。【解決手段】プレーヤ１は、内蔵フラッシュメモリ７及びＳＤカード１０等の複数の記憶部を有し、複数の記憶部のうちどの記憶部にデータを記憶するかがユーザの選択に応じて指定されると、ＣＰＵ１１が、指定された記憶部はデータを記憶することが可能であるか否かを判断し、指定された記憶部はデータを記憶することが可能であると判断された場合には、当該指定された記憶部にデータが記憶され、当該指定された記憶部にデータを記憶することが可能ではないと判断された場合は、別の記憶部にデータが記憶される。【選択図】図１
2009081730.tif 000002
【特許請求の範囲】
【請求項１】
複数の記憶部と、
前記複数の記憶部から、ユーザの選択に応じて第１の記憶部を指定する第１の指定手段と、
前記第１の指定手段によって指定された第１の記憶部はデータを記憶することが可能であるか否かを判断する判断手段と、
前記判断手段が、前記第１の記憶部はデータを記憶することが可能でないと判断した場合に、前記複数の記憶部から第２の記憶部を指定する第２の指定手段と、
前記判断手段が、前記第１の記憶部はデータを記憶することが可能であると判断した場合は前記第１の記憶部にデータを記憶し、前記第１の記憶部はデータを記憶することが可能ではないと判断した場合は前記第２の記憶部にデータを記憶する記憶制御手段と、
を備える記憶装置。
【請求項２】
記憶開始条件を設定する開始条件設定手段を更に備え、
前記記憶開始条件が満足されたら、前記判断手段は、前記第１の記憶部はデータを記憶することが可能であるか否かを判断する、請求項１に記載の記憶装置。
【請求項３】
記憶開始時刻を設定する開始時刻設定手段を更に備え、
前記記憶開始時刻が到来したら、前記判断手段は、前記第１の記憶部はデータを記憶することが可能であるか否かを判断する、請求項１に記載の記憶装置。
【請求項４】
放送データを受信する放送受信手段を更に備え、
前記記憶制御手段は、前記判断手段が、前記第１の記憶部はデータを記憶することが可能であると判断した場合は、前記第１の記憶部に前記放送データを記憶し、前記第１の記憶部はデータを記憶することが可能ではないと判断した場合に、前記第２の記憶部に前記放送データを記憶する、請求項１に記載の記憶装置。
【請求項５】
記憶開始時刻を設定する開始時刻設定手段を更に備え、
前記記憶開始時刻が到来したら、前記判断手段は、前記第１の記憶部はデータを記憶することが可能であるか否かを判断する、請求項４に記載の記憶装置。
【請求項６】
ネットワークに接続し、前記ネットワークからデータを取得するための通信手段を更に備え、
前記記憶制御手段は、前記判断手段が、前記第１の記憶部はデータを記憶することが可能であると判断した場合は、前記第１の記憶部に前記ネットワークから取得したデータを記憶し、前記第１の記憶部はデータを記憶することが可能ではないと判断した場合に、前記第２の記憶部に前記ネットワークから取得したデータを記憶する、請求項１に記載の記憶装置。
【請求項７】
前記通信手段による前記ネットワークへの接続状態を検出する検出手段を更に備え、
前記検出手段が、前記通信手段による前記ネットワークへの接続を検出したら、前記判断手段は、前記第１の記憶部はデータを記憶することが可能であるか否かを判断する、請求項６に記載の記憶装置。
【請求項８】
前記第２の指定手段は、ユーザの指示に応じて第２の記憶部を指定する、請求項１に記載の記憶装置。
【請求項９】
データを表示する表示手段と、
前記表示手段に、前記複数の記憶部をリスト表示させる表示制御手段と、を更に備え、
前記第１の指定手段は、前記表示制御手段によってリスト表示された前記複数の記憶部から、ユーザの選択に応じて前記第１の記憶部を指定する、請求項１に記載の記憶装置。
【請求項１０】
前記表示制御手段は、前記複数の記憶部の記憶可能容量を表示する、請求項９に記載の記憶装置。
【請求項１１】
複数の記憶部と、
前記複数の記憶部から、ユーザの選択に応じて第１の記憶部を指定する第１の指定手段と、
前記第１の指定手段によって指定された第１の記憶部はデータを記憶することが可能であるか否かを判断する判断手段と、
前記判断手段が、前記第１の記憶部はデータを記憶することが可能でないと判断した場合に、表示部に警告を表示する警告表示手段と、
を備える記憶装置。
【請求項１２】
複数の記憶部から、ユーザの選択に応じて第１の記憶部を指定する第１の指定ステップと、
前記第１の記憶部はデータを記憶することが可能であるか否かを判断する判断ステップと、
前記第１の記憶部はデータを記憶することが可能でないと判断された場合に、前記複数の記憶部から第２の記憶部を指定する第２の指定ステップと、
前記第１の記憶部はデータを記憶することが可能であると判断された場合は前記第１の記憶部にデータを記憶し、前記第１の記憶部はデータを記憶することが可能ではないと判断された場合は前記第２の記憶部にデータを記憶する記憶制御ステップと、
を備える記憶方法。
【請求項１３】
複数の記憶部から、ユーザの選択に応じて第１の記憶部を指定する第１の指定ステップと、
前記第１の記憶部はデータを記憶することが可能であるか否かを判断する判断ステップと、
前記第１の記憶部はデータを記憶することが可能でないと判断された場合に、表示部に警告を表示する警告表示ステップと、
を備える記憶方法。
【発明の詳細な説明】
【技術分野】
【０００１】
本発明は適切なデータ管理を行うための記憶装置及び記憶方法に関する。
【背景技術】
【０００２】
最近では、携帯型音楽プレーヤ等の携帯可能な端末装置であっても、テレビ放送を受信して記憶したり、ネットワークに接続して動画像データ等のデータファイルをダウンロードしたりすることが可能になっている。
【０００３】
端末装置が取得したデータファイルや放送番組のデータは、当該端末装置に内蔵された記憶装置や、外付けの記憶装置に記憶される。ところが、端末装置に内蔵、あるいは外付けされた記憶装置の記憶容量には限りがある。一般に、放送番組データ等のデータ容量は大きいため、記憶装置の記憶内容を適切に管理しなければ、ユーザが所望するデータの記憶に失敗したり、記憶装置にすでに記憶してあるデータが不用意に削除されてしまったりすることがある。
【０００４】
特許文献１には、ハードディスク装置に記憶された画像を他の記憶媒体にバックアップする場合に、保存先の記憶媒体を選択できる電子カメラ装置が記載されている。
【特許文献１】特開２００６−３１１０６７号公報（段落００４４、図６）
【発明の開示】
【発明が解決しようとする課題】
【０００５】
特許文献１に記載の技術では、保存先の記憶媒体として選択された外付けの記憶媒体が端末装置に挿入されていなかった場合、保存先として選択された記憶媒体の記憶容量が充分に確保されていない場合、または保存先の記憶媒体に記憶禁止の設定がされているような場合には、適切なデータの保存ができない。また、放送番組の予約録画等、データを自動的に保存するような場合には対応していない。
【０００６】
本発明は、前記のような問題に鑑みなされたもので、適切なデータの管理が可能になる記憶装置を提供することを目的とする。
【課題を解決するための手段】
【０００７】
本発明に係る記憶装置は、複数の記憶部と、前記複数の記憶部から、ユーザの選択に応じて第１の記憶部を指定する第１の指定手段と、前記第１の指定手段によって指定された第１の記憶部はデータを記憶することが可能であるか否かを判断する判断手段と、前記判断手段が、前記第１の記憶部はデータを記憶することが可能でないと判断した場合に、前記複数の記憶部から第２の記憶部を指定する第２の指定手段と、前記判断手段が、前記第１の記憶部はデータを記憶することが可能であると判断した場合は前記第１の記憶部にデータを記憶し、前記第１の記憶部はデータを記憶することが可能ではないと判断した場合は前記第２の記憶部にデータを記憶する記憶制御手段とを備える。
【発明の効果】
【０００８】
本発明の記憶装置によれば、判断手段が、ユーザの選択に応じて第１の指定手段によって指定された第１の記憶部はデータを記憶することが可能ではないと判断した場合には、第２の指定手段が指定した第２の記憶部にデータを記憶し、適切なデータの記憶を図ることができる。
【発明を実施するための最良の形態】
【０００９】
以下、図面を参照して本発明の実施の形態について説明する。
【００１０】
第１の実施形態
図１は本発明の第１の実施形態に係る携帯可能なマルチメディア再生装置（プレーヤ）１の電気的構成の一例を示すブロック図である。また、図２はプレーヤ１の外観の一例を示す図である。
【００１１】
プレーヤ１は、主制御部であるＣＰＵ１１を有する。ＣＰＵ１１は、プレーヤ１の各部の動作を制御する。プレーヤ１の各部は、バスを介してＣＰＵ１１に接続されている。
【００１２】
ユーザは、操作部３を操作して操作指示や選択指示を入力することができる。ユーザによる操作部３の操作に応じた制御信号は、Ｉ／Ｏ（入出力）ポート１３からＣＰＵ１１に送られる。液晶ディスプレイ（ＬＣＤ）５は、動画や静止画、文字情報等の画像データを表示する。ＬＣＤ５に表示される文字情報としては、例えば再生中のデータファイルの名前や、再生中のデータファイルに含まれる歌詞データ等の文字情報がある。ＬＣＤ駆動回路１５は、ＣＰＵ１１の制御に基づいてＬＣＤ５を駆動する。
【００１３】
操作部３は、図２に示す多機能ボタン３ａを含んでいる。多機能ボタン３ａは、音声データや画像データの再生開始や停止の指示の入力、メニュー画面からの選択指示の入力等に用いられる。多機能ボタン３ａは、例えば中央部のボタンが押された場合は、データの記憶開始や停止の指示をＣＰＵ１１に送信する。また、上下左右いずれかの方向ボタンが押されると、ボタンの押下に応じてＬＣＤ５に表示されている項目を切り替える制御指示がＣＰＵ１１に伝達される。
【００１４】
プレーヤ１には、外部装置との無線通信や、地上デジタル放送の受信に用いられるアンテナ部１ａが設けられている。アンテナ部１ａは、例えばＬＣＤ５の周囲や、プレーヤ１の側面の図示しない主電源スイッチの近傍等、プレーヤ１を構成する部材のうちの、非金属材料が用いられている部分に設けられることが好ましい。
【００１５】
ＣＰＵ１１には、ＲＯＭ２１およびＲＡＭ２３が、制御バス２５を介して接続されている。ＲＯＭ２１は、ＣＰＵ１１がプレーヤ１の動作を制御するために実行するプログラムデータを予め記憶する。また、ＲＯＭ２１には、録画予約された放送番組の設定情報を格納する録画予約テーブル２１ａ（図７参照）、及びネットワークから取得するデータについての設定情報を格納する取得予約テーブル２１ｂ（図９参照）等の記憶領域が確保されている。
【００１６】
ＲＡＭ２３はＣＰＵ１１により、ワークメモリとして利用される。ＲＡＭ２３は、制御信号に対応する制御情報や、内蔵フラッシュメモリ７から読み出された一定量のデータを一時的に保持する。また、ＲＡＭ２３には、図３に示すフラグ格納領域２３ａが確保される。後述するデータ記憶処理では、保存フラグが「ＯＮ」に設定されている記憶装置が、データの保存先として利用される。図３の例では、内蔵フラッシュメモリの保存フラグが「ＯＮ」に設定されているため、データ記憶の際には、内蔵フラッシュメモリ７にデータが記憶される。
【００１７】
バッテリ（二次電池）９は、プレーヤ１を携帯して用いる際の電源である。電源制御ＩＣ１９は、バッテリ９により提供される電力、すなわち所定の電圧および許容される電流を管理する。バッテリ９には充電部（ｃｈａｒｇｅｒ）３３が接続されている。本実施形態では、プレーヤ１の小型化のため、図示しない外部電源装置により５Ｖ前後の直流（ＤＣ）に減圧／変換された直流電圧が、電源入力部から入力される。充電部３３は、商用電源（ＡＣ１００Ｖ）を直接受け入れる構造とすることも可能である。
【００１８】
内蔵フラッシュメモリ７は、数Ｇ（ギガ）バイトから数１０Ｇバイトの記憶容量を有しており、画像データや音声データを記憶する。内蔵フラッシュメモリ７は、プレーヤ１から取り外すことが可能であってもよい。また、内蔵フラッシュメモリ７に換えてハードディスク装置（ＨＤＤ）が備えられていてもよい。
【００１９】
カードスロット８には、ＳＤカード１０を挿入することができる。ＣＰＵ１１は、スロット８を介してこのＳＤカード１０に画像データや音声データを記憶することができる。また、ＣＰＵ１１は、ＳＤカード１０に記憶されている画像データや音声データを読み出して再生することも可能である。ＳＤカード１０に換えて、他の記憶媒体が接続されてもよい。
【００２０】
内蔵フラッシュメモリ７およびＳＤカード１０は、予め圧縮された音声データや画像データ、ビデオデータ等のコンテンツデータを記録する。音声データの圧縮には、ＭＰ３、ＷＭＡ等の方式が、画像データの圧縮には、ＪＰＥＧ、ＧＩＦあるいはＢＭＰ−ＲＬＥ等の方式が、ビデオデータの圧縮には、例えばＷＭＶ、ＭＰＥＧ等の方式が用いられる。
【００２１】
ＣＰＵ１１は、ＲＯＭ２１に予め記憶されている所定の再生プログラムを実行して、内蔵フラッシュメモリ７およびＳＤカード１０に格納された音声データファイルや画像データファイル等のデータファイルを再生する。データファイルの再生プログラムは、内蔵フラッシュメモリ７に予め記憶されていてもよい。
【００２２】
出力部１７は、ＣＰＵ１１の制御に従って、画像データや音声データをアナログ出力に変換する。出力端子４５は、通常のアナログ出力に利用される。
【００２３】
出力部１７に設けられたオーディオデコーダ４７は、音声データをアナログ信号に復調し、出力端子４５に転送する。また、出力部１７に設けられたビデオデコーダ４９は、ビデオ信号のアナログ変換を行い、変換したビデオ信号を出力端子４５に出力する。ヘッドホン、増幅機能付きスピーカ、モニタ装置、あるいは映像受像機等を出力端子４５に接続して、音声出力やビデオ出力を視聴することができる。出力端子４５からの音声出力を、図示しないアンプ装置に入力し、アンプ装置に図示しないスピーカを接続して、より大きな音量を得ることも可能である。
【００２４】
ＣＰＵ１１にはまた、ＵＳＢ（Ｕｎｉｖｅｒｓａｌ  Ｓｅｒｉａｌ  Ｂｕｓ）ポート４１、無線ネットワーク（Ｗｉｒｅｌｅｓｓ  Ｎｅｔｗｏｒｋ）ユニット（通信部）４３が接続されている。
【００２５】
プレーヤ１は、ＵＳＢポート４１を介して図示しない外部装置に接続され、外部装置との間でデータの受け渡しを行う。例えばパーソナルコンピュータ（ＰＣ）等の外部装置からは、ＵＳＢポート４１を介して、画像データや音声データがプレーヤ１に供給される。また、プレーヤ１に記憶された画像データや音声データが、ＵＳＢポート４１を介して外部装置に供給されてもよい。プレーヤ１から、半導体メモリを収容したオーディオ専用再生装置（ＵＳＢフラッシュメモリプレーヤ）やＵＳＢスピーカ等の外部装置へ、ＵＳＢポート４１を介して音声データを送信することができる。ＵＳＢポート４１は、マイク等の外部装置からの音楽／音声信号の入力にも利用される。
【００２６】
無線ネットワークユニット４３は、無線ＬＡＮ（Ｌｏｃａｌ  Ａｒｅａ  Ｎｅｔｗｏｒｋ）に接続するために利用される。無線ＬＡＮの電波を受信するための機器であるアクセスポイントから所定の距離範囲内にプレーヤ１が存在する場合に、無線ＬＡＮに接続することが可能である。
【００２７】
放送受信部５０は、移動体向けの地上デジタル放送（ワンセグ放送）を受信する際に利用される。アンテナ部１ａで受信された放送信号は、放送受信部５０に転送される。放送受信部５０は、アンテナ部１ａが受信したデジタル放送信号のチューニングおよび復調を行う。ＣＰＵ１１は、放送受信部５０が受信した放送信号に、所定のデコード処理を施して再生可能なフォーマットへ変換する。
【００２８】
次に、このプレーヤ１による、データ記憶処理について説明する。
【００２９】
プレーヤ１は、無線ネットワークユニット４３を介してネットワークからデータを取得することが可能である。また、放送受信部５０を介して放送番組データを取得することも可能である。これらのデータは、内蔵フラッシュメモリ７、あるいはＳＤカード１０に記憶される。
【００３０】
本実施形態では、データを記憶する際に、内蔵フラッシュメモリ７とＳＤカード１０のどちらに記憶するかをユーザが選択することができる。
【００３１】
以下では、アンテナ部１ａ及び放送受信部５０を介して受信中の放送番組を記憶する場合の処理について説明する。
【００３２】
ユーザが、多機能ボタン３ａを操作して受信中の放送番組の録画を開始するように指示すると、図４に示す番組記憶処理プログラムが起動する。
【００３３】
番組記憶処理が起動すると、ＣＰＵ１１は、例えば図５に示すような記憶装置選択メニュー画面をＬＣＤ５に表示させる（ブロックＡ１）。その後、ユーザが、番組データを保存する記憶装置を、表示された選択メニューから選択するのを待つ（ブロックＡ２）。
【００３４】
ユーザは、表示された選択メニューから、番組を保存する記憶装置を選択できる。放送番組を内蔵フラッシュメモリ７に保存したい場合には、図５の選択メニューから「本体へ録画開始」を選択し、ＳＤカード１０に保存したい場合には「ＳＤカードへ録画開始」を選択する。
【００３５】
ユーザが何れかの記憶装置を選択したら（ブロックＡ２でＹＥＳ）、ＣＰＵ１１は、フラグ格納領域２３ａの、選択に対応する記憶装置の保存フラグを「ＯＮ」にする（ブロックＡ３）。
【００３６】
次に、選択されて保存フラグが「ＯＮ」にされた記憶装置は、データの記憶が可能であるか否かが判断される（ブロックＡ４）。選択された記憶装置に書込み禁止の設定がしてある場合、選択された記憶装置の記憶容量が不足している場合、あるいはプレーヤ１本体に当該選択された記憶装置が装着されていない場合には、データの記憶はできない。
【００３７】
選択された記憶装置がデータを記憶できない場合には（ブロックＡ４でＮｏ）、ＣＰＵ１１はＬＣＤ５にメッセージを表示して、当該選択された記憶装置には放送番組を記憶できない旨をユーザに通知する（ブロックＡ５）。
【００３８】
その後ユーザは、多機能ボタン３ａを操作して、他の記憶装置をデータ保存先として選択することができる（ブロックＡ２）。あるいはここで、十分な記憶容量が確保された新たな記憶装置をカードスロット８に挿入し直し、当該新たな記憶装置を番組データの保存先として選択し直してもよい。ユーザが記憶装置の再選択を行うと（ブロックＡ２でＹＥＳ）、新たに選択された記憶装置の保存フラグが「ＯＮ」に変更され（ブロックＡ３）、再選択された記憶装置に、データを書き込むことが可能であるか否かが判断される（ブロック４）。
【００３９】
選択された記憶装置にデータを記憶することが可能である場合は（ブロックＡ４でＹＥＳ）、放送番組の記憶が開始される（ブロックＡ６）。すなわち、ＣＰＵ１１は、現在受信中の放送番組データを、保存フラグが「ＯＮ」になっている記憶装置に格納する処理を開始する。
【００４０】
放送番組データの記憶処理は、ユーザが多機能ボタン３ａを操作して、記憶終了を指示するまで続けられる（ブロックＡ７）。ユーザが記憶終了を指示すると（ブロックＡ７でＹＥＳ）、番組記憶処理は終了する。
【００４１】
本実施形態では、複数の記憶装置の中から、番組データを記憶する記憶装置を、ユーザが任意に選択できる。選択された記憶装置は、保存フラグによって識別可能である。選択された記憶装置にデータを記憶することができない場合には、データ保存先の記憶装置を変更するようにユーザに促すことも可能である。
【００４２】
このため、所望の番組が記憶できなかったり、記憶装置に既に記憶してあったデータを不用意に削除してしまったりするといった番組録画の失敗を防ぐことができる。
【００４３】
次に本発明の他の実施形態を説明する。以下の実施形態で第１実施形態と対応する部分は対応する参照数字を付して詳細な説明は省略する。他の実施形態の構成は図１に示すブロック図で表される。
【００４４】
第２の実施形態
第１の実施形態では、受信中の放送番組の記憶について説明したが、第２の実施形態では、放送番組を予約録画する場合について説明する。
【００４５】
ユーザが、多機能ボタン３ａを操作して放送番組の予約録画処理を開始するように指示すると、図６に示す予約録画処理プログラムが起動する。
【００４６】
予約録画処理が起動すると、ＣＰＵ１１は、例えば図５に示すような記憶装置選択メニュー画面をＬＣＤ５に表示させる（ブロックＢ１）。その後、ユーザが、予約番組のデータを保存する記憶装置を、表示された選択メニューから選択するのを待機する（ブロックＢ２）。
【００４７】
ユーザは、表示された選択メニューから、予約番組を保存する記憶装置を選択できる。予約番組を内蔵フラッシュメモリ７に保存したい場合には、図５の選択メニューから「本体へ録画開始」を選択し、ＳＤカード１０に保存したい場合には「ＳＤカードへ録画開始」を選択する。
【００４８】
ユーザが何れかの記憶装置を選択したら（ブロックＢ２でＹＥＳ）、ＣＰＵ１１は、フラグ格納領域２３ａの、選択に対応する記憶装置の保存フラグを「ＯＮ」にする（ブロックＢ３）。
【００４９】
その後、予約設定処理が行われて、予約録画される放送番組が設定される（ブロックＢ４）。ユーザは、ＬＣＤ５に表示されるガイダンス画面に従って、予約録画する番組のチャンネルや開始時刻、終了時刻、保存するデータ形式などを入力する。入力されたデータは、例えば、図７に示すような録画予約テーブル２１ａに記憶される。
【００５０】
予約設定が行われたら、ＣＰＵ１１は、録画予約テーブル２１ａに記憶された予約番組の開始時刻になるまで待機する（ブロックＢ５）。
【００５１】
設定された開始時刻が到来したら（ブロックＢ５でＹＥＳ）、ＣＰＵ１１は、保存フラグが「ＯＮ」にされた記憶装置にデータを記憶することが可能であるか否かを判断する（ブロックＢ６）。選択された記憶装置に書込み禁止の設定がしてある場合、選択された記憶装置の記憶容量が不足している場合、あるいはプレーヤ１本体に当該選択された記憶装置が装着されていない場合には、データの記憶はできない。
【００５２】
選択された記憶装置にデータを記憶することが可能である場合は（ブロックＢ６でＹＥＳ）、録画予約された放送番組の記憶が開始される（ブロックＢ７）。すなわち、ＣＰＵ１１は、録画予約テーブル２１ａに記憶されたデータに基づいて録画予約された番組データを受信し、当該番組データを、保存フラグが「ＯＮ」になっている記憶装置に記憶する。
【００５３】
一方、選択された記憶装置がデータを記憶できない場合には（ブロックＢ６でＮｏ）、ＣＰＵ１１は、他の記憶装置をデータ保存先として選択し、新たに選択された記憶装置の保存フラグを「ＯＮ」に変更する（ブロックＢ８）。
【００５４】
そしてＣＰＵ１１は、録画予約された放送番組の記憶を開始する（ブロックＢ７）。すなわち、ＣＰＵ１１は、録画予約テーブル２１ａに記憶されたデータに基づいて録画予約された番組データを、放送受信部５０によって受信し、当該番組データを、保存フラグが「ＯＮ」になっている記憶装置に記憶する。
【００５５】
予約録画処理は、録画予約テーブル２１ａに記憶された終了時刻になるまで続けられる（ブロックＢ９）。録画予約テーブル２１ａに記憶された終了時刻が到来すると（ブロックＢ９でＹＥＳ）、予約録画処理は終了する。
【００５６】
本実施形態では、複数の記憶装置の中から、予約番組データを記憶する記憶装置を、ユーザが任意に選択できる。選択された記憶装置は、保存フラグによって識別可能である。録画予約テーブル２１ａに設定された録画開始時刻になったら、選択された記憶装置にデータを記憶することができるか否かを判断し、記憶できない場合には、ＣＰＵ１１は自動的にデータ保存先の記憶装置を変更して、予約番組を記憶する。
【００５７】
このため、放送番組を予約録画する際にも、選択された記憶装置がプレーヤ１に挿入されていなかったり、あるいは選択された記憶装置の記憶容量が足りなかったりするために生じる番組録画の失敗を防ぐことができる。
【００５８】
また、本実施形態では、録画予約テーブル２１ａに設定された開始時刻になるまで待機したが（ブロックＢ５）、この間に、他の処理が行われたり、プレーヤ１の電源が落とされたりすることもある。このような場合でも、ＣＰＵ１１が内蔵するタイマが時間を計時し、開始時刻になったら、処理を再開するように構成することも可能である。
【００５９】
第３の実施形態
プレーヤ１は、無線ネットワークユニット４３を介して、無線ＬＡＮのアクセスポイントに接続し、ネットワークからデータを取得することができる。ただし、プレーヤ１とアクセスポイントとが無線通信を行うには、両者が所定の距離範囲内に位置している必要がある。第３の実施形態では、ネットワークを介して取得したデータを記憶する場合について説明する。
【００６０】
ユーザが、多機能ボタン３ａを操作してネットワークからデータを取得するように指示すると、図８に示すデータ取得処理プログラムが起動する。
【００６１】
データ取得処理が起動すると、ＣＰＵ１１は、例えば図５に示すような記憶装置選択メニュー画面をＬＣＤ５に表示させる（ブロックＣ１）。その後、ユーザが、表示された選択メニューから、取得データを保存する記憶装置を選択するのを待つ（ブロックＣ２）。
【００６２】
ユーザは、表示された選択メニューから、取得したデータを保存する記憶装置を選択できる。取得データを内蔵フラッシュメモリ７に保存したい場合には、図５の選択メニューから「本体へ録画開始」を選択し、ＳＤカード１０に保存したい場合には「ＳＤカードへ録画開始」を選択する。
【００６３】
ユーザが何れかの記憶装置を選択したら（ブロックＣ２でＹＥＳ）、ＣＰＵ１１は、フラグ格納領域２３ａの、選択に対応する記憶装置の保存フラグを「ＯＮ」にする（ブロックＣ３）。
【００６４】
その後、取得データ設定処理が行われて、ユーザが所望するデータが設定される（ブロックＣ４）。ユーザは、ＬＣＤ５に表示されるガイダンス画面に従って、所望するデータの配信元のネットワーク上でのアドレスや、データのファイル名、選択した記憶装置に保存する際の保存形式などを入力する。入力されたデータは、例えば、図９に示すような取得予約テーブル２１ｂに記憶される。
【００６５】
取得データ設定が行われたら、ＣＰＵ１１は、無線ネットワークユニット４３を介してアクセスポイントに接続可能であるか否かを判断する（ブロックＣ５）。アクセスポイントと無線通信を行うためには、プレーヤ１が、アクセスポイントから電波を受信できる地点に位置していなければならない。プレーヤ１は携帯可能なマルチメディア再生装置であるため、ユーザがプレーヤ１を持ち歩いているうちに、アクセスポイントから離れ、無線通信ができなくなることがある。
【００６６】
アクセスポイントとの接続ができない場合は（ブロックＣ５でＮＯ）、データ取得はできず、ＣＰＵ１１は取得予約状態になる。取得予約状態にあるプレーヤ１をユーザが携帯して移動しているうちに、アクセスポイントと通信可能な位置に到達すると、データの取得が行えるようになる。ＣＰＵ１１は無線ネットワークユニット４３を介して、常にアクセスポイントとの通信状態を監視している。
【００６７】
アクセスポイントと接続可能になったことを検出したら（ブロックＣ５でＹＥＳ）、ＣＰＵ１１は、保存フラグが「ＯＮ」にされた記憶装置に、データを記憶することが可能であるか否かを判断する（ブロックＣ６）。選択された記憶装置に書込み禁止の設定がしてある場合、選択された記憶装置の記憶容量が不足している場合、あるいはプレーヤ１本体に当該選択された記憶装置が装着されていない場合には、データの記憶はできない。
【００６８】
選択された記憶装置にデータを記憶することが可能である場合は（ブロックＣ６でＹＥＳ）、取得予約テーブル２１ｂに記憶された情報に基づいて、ネットワークからのデータの取得及び記憶が開始される（ブロックＣ７）。
【００６９】
一方、選択された記憶装置がデータを記憶できない場合には（ブロックＣ６でＮｏ）、ＣＰＵ１１は、他の記憶装置をデータ保存先として選択し、新たに選択された記憶装置の保存フラグを「ＯＮ」に変更する（ブロックＣ８）。
【００７０】
そしてＣＰＵ１１は、取得予約テーブル２１ｂに記憶された情報に基づいて、データの取得及び記憶を開始する（ブロックＣ７）。
【００７１】
選択されたデータの取得及び記憶が完了すると（ブロックＣ９でＹＥＳ）、データ取得処理は終了する。
【００７２】
本実施形態では、複数の記憶装置の中から、ネットワークから取得したデータを記憶する記憶装置を、ユーザが任意に選択できる。選択された記憶装置は、保存フラグによって識別可能である。プレーヤ１がアクセスポイントから離れていて、ネットワークに接続できない場合には、取得予約状態となる。取得予約状態にあるプレーヤ１をユーザが持ち運んで、アクセスポイントに接続可能な位置に達したら、ＣＰＵ１１は選択された記憶装置にデータを記憶することができるか否かを判断する。記憶できない場合には、ＣＰＵ１１は自動的にデータ保存先の記憶装置を変更して、ネットワークからデータを取得して記憶する。
【００７３】
このため、プレーヤ１を携帯している間にネットワークからデータを取得しようとする場合であっても、選択された記憶装置がプレーヤ１に挿入されていなかったり、あるいは選択された記憶装置の記憶容量が足りなかったりするために生じる番組録画の失敗を防ぐことができる。
【００７４】
上述の第１から第３の実施形態では、内蔵フラッシュメモリ７及びＳＤカード１０の２つの記憶装置から、データを保存する記憶装置を選択する例について説明した。しかしながら、３つ以上の記憶装置がプレーヤ１に備えられ、これらの記憶装置の中から、データを保存する記憶装置を選択するようにしてもよい。この場合でも、どの記憶装置にデータを保存するかは、保存フラグによって管理される。
【００７５】
変形例
本発明は上述した実施の形態に限定されず、種々変形して実施可能である。
【００７６】
図４のブロックＡ１、図６のブロックＢ１及び図８のブロックＣ１では、図５に示すような選択メニュー画面を表示して、ユーザに、データを記憶する記憶装置を選択させた。ここで、それぞれの記憶装置の残りの記憶容量を計算して、表示するようにしてもよい。
【００７７】
放送番組の録画、及び予約録画の場合には、録画可能な時間を例えば以下のように、
「本体へ録画開始（ＷＸ分録画可能）」
「ＳＤカードへ録画開始（ＹＺ分録画可能）」
と表示して、ユーザに目安として提供してもよい。
【００７８】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、１つの実施形態に示される全構成要件から幾つかの構成要件が削除されたり、幾つかの実施形態に示される構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００７９】
【図１】本発明の一実施形態に係る記憶装置の概略構成を示すブロック図。
【図２】図１に示す記憶装置の外観を示す正面図。
【図３】フラグ格納領域に記憶される保存フラグの例を示す図。
【図４】本発明の第１実施形態に係る番組記憶処理のフローチャート。
【図５】ＬＣＤに表示される選択メニュー画面を示す図。
【図６】本発明の第２実施形態に係る予約録画処理のフローチャート。
【図７】録画予約テーブルに記憶されるデータの内容を示す図。
【図８】本発明の第３実施形態に係るデータ取得処理のフローチャート。
【図９】取得予約テーブルに記憶されるデータの内容を示す図。
【符号の説明】
【００８０】
１…マルチメディア再生装置（プレーヤ）、１ａ…アンテナ部、３…操作部、３ａ…多機能ボタン、５…ＬＣＤ、７…内蔵フラッシュメモリ、８…カードスロット、９…バッテリ、１０…ＳＤカード、１１…ＣＰＵ、１３…Ｉ／Ｏポート、１５…ＬＣＤ駆動回路、１７…出力部、１９…電源制御部、２１…ＲＯＭ、２１ａ…録画予約テーブル、２１ｂ…取得予約テーブル、２３…ＲＡＭ、２３ａ…フラグ格納領域、２５…バス、３３…充電部、４１…ＵＳＢポート、４３…無線ネットワークユニット、４５…出力端子、４７…オーディオデコーダ、４９…ビデオデコーダ、５０…放送受信部。
【図１】
2009081730.tif 000003
【図２】
2009081730.tif 000004
【図３】
2009081730.tif 000005
【図４】
2009081730.tif 000006
【図５】
2009081730.tif 000007
【図６】
2009081730.tif 000008
【図７】
2009081730.tif 000009
【図８】
2009081730.tif 000010
【図９】
2009081730.tif 000011